(57)【要約】【課題】現実に使用の建物の骨格木材から、年輪が視認できるように木片を切り出し、建物の注文者等にとっては、美しく、かつ歴史が感じられ感慨深い記念の価値あるものが得られ、建物の施工業者等にとっては、付加価値のある施工を行うことができる切り出し木片の作製配置方法を提供する。【解決手段】切り出し木片１０の作製配置方法は、建物に使用される又は使用された骨格木材３の一部を年輪が視認できるように切り出す工程Ｓ９を備えている。前記工程Ｓ９によって切り出された切り出し木片１０が前記建物と関連付けられた場所に配置される。【選択図】図１
2015098118.tif 000002
【特許請求の範囲】
【請求項１】
建物に使用される又は使用された骨格木材の一部を年輪が視認できるように切り出す工程を備え、
前記工程によって切り出された切り出し木片が前記建物と関連付けられた場所に配置されるようにしたことを特徴とする切り出し木片の作製配置方法。
【請求項２】
前記切り出し木片は、透明のケースに収容されることを特徴とする請求項１に記載の切り出し木片の作製配置方法。
【請求項３】
前記切り出し木片は、透明の台座に載置されることを特徴とする請求項１又は請求項２に記載の切り出し木片の作製配置方法。
【請求項４】
前記切り出し木片は、壁掛けが可能であるように構成されていることを特徴とする請求項１又は請求項２に記載の切り出し木片の作製配置方法。
【発明の詳細な説明】
【技術分野】
【０００１】
本発明は、年輪が視認できる切り出し木片の作製配置方法に関する。
【背景技術】
【０００２】
従来、天然木が有する年輪は、その自然美を表わす装飾的効果から種々の装飾品として利用されている。例えば、天然木を切断して年輪が表れるようにした木製の装飾品が知られている（特許文献１及び特許文献２参照）。
また、間伐材等の不要材を利用して年輪の模様を表現するようにした化粧合板が提案されている（特許文献３参照）。
【先行技術文献】
【特許文献】
【０００３】
【特許文献１】特開２０１１−４２０７６号公報
【特許文献２】特開２０１２−１２１１４１号公報
【特許文献３】特開２０００−１４１３１２号公報
【発明の概要】
【発明が解決しようとする課題】
【０００４】
しかしながら、上記のような装飾品や化粧合板は、単に年輪の装飾的効果を狙って個別的に作製されるに過ぎないものである。
【０００５】
本発明は、上記に鑑みなされたもので、現実に使用の建物の骨格木材から、年輪が視認できるように木片を切り出して、前記建物にゆかりのある切り出し木片を作製するものであり、建物の注文者等にとっては、美しく、かつ歴史が感じられ感慨深い記念の価値あるものが得られ、建物の施工業者等にとっては、付加価値のある施工を行うことができる切り出し木片の作製配置方法を提供することを目的とする。
【課題を解決するための手段】
【０００６】
請求項１に記載の切り出し木片の作製配置方法は、建物に使用される又は使用された骨格木材の一部を年輪が視認できるように切り出す工程を備え、前記工程によって切り出された切り出し木片が前記建物と関連付けられた場所に配置されるようにしたことを特徴とする。
【０００７】
建物としては、住居や公共の施設等が含まれ、その形態が格別限定されるものではない。また、切り出し木片は、建物に実際に使用される大黒柱等の木材から切り出されるものである。
【０００８】
前記建物と関連付けられた場所に配置とは、例えば、切り出し木片がオブジェとして利用される場合には当該建物内、モニュメントとして利用される場合には当該建物の近傍に配置されること等を意味している。
【０００９】
請求項２に記載の切り出し木片の作製配置方法は、請求項１に記載の切り出し木片の作製配置方法において、前記切り出し木片は、透明のケースに収容されることを特徴とする。
【００１０】
請求項３に記載の切り出し木片の作製配置方法は、請求項１又は請求項２に記載の切り出し木片の作製配置方法において、前記切り出し木片は、透明の台座に載置されることを特徴とする。
【００１１】
請求項４に記載の切り出し木片の作製配置方法は、請求項１又は請求項２に記載の切り出し木片の作製配置方法において、前記切り出し木片は、壁掛けが可能であるように構成されていることを特徴とする。
【発明の効果】
【００１２】
本発明によれば、建物の注文者等及び施工業者等の双方にとって利益ある切り出し木片の作製配置方法を提供することができる。
【図面の簡単な説明】
【００１３】
【図１】本実施形態の切り出し木片の作製配置方法に係る植林から建物が完成するまでの過程を示すフロー図である。
【図２】同製材された木材を示す斜視図である。
【図３】同木材を切断して切り出し木片を作製する工程を示す説明図である。
【図４】同建物内の大黒柱を示す斜視図である。
【図５】同切り出し木片を利用する実施例１を示す斜視図である。
【図６】同切り出し木片を利用する実施例１を示す側面図である。
【図７】同切り出し木片を利用する実施例１において、ケースを取り外して示す斜視図である。
【図８】同切り出し木片を利用する実施例２を示す正面図である。
【図９】同切り出し木片を利用する実施例２を示す側面図である。
【図１０】同切り出し木片を利用する実施例３を示す斜視図である。
【図１１】同切り出し木片を利用する実施例４を示す斜視図である。
【発明を実施するための形態】
【００１４】
以下、本発明の実施形態について図１乃至図１１を参照して説明する。図１は、植林から製材を経て建物が完成するまでの概略の過程を示すフロー図であり、図２は、製材された木材を示す斜視図、図３は、木材を切断して切り出し木片を作製する工程を示す説明図であり、（ａ）は骨格木材を示す斜視図、（ｂ）は木片を切り出す状態を示す斜視図、（ｃ）は切り出し木片を示す斜視図である。また、図４は、建物内の大黒柱を示す斜視図である。
【００１５】
図５乃至図１０は、切り出し木片を利用する実施例を示し、図５乃至図７は、切り出し木片をオブジェとする場合（実施例１）、図８及び図９は、同壁掛けとする場合（実施例２）、図１０は、同切り出し木片の作製に角材を用いる場合（実施例３）、図１１は、切り出し木片を椅子として用いる場合（実施例４）であり、（ａ）は椅子を示し、（ｂ）は椅子に人が座っている状態を示す斜視図である。
【００１６】
図１に示すように、樹木を育てて建物の建築に利用可能な木材にするには、まず、植林（Ｓ１）を行う。植林１は、整地し苗木を植える工程である。その後、苗木の生長に伴い間伐（Ｓ２）を行う。間伐（Ｓ２）は、植えた苗木が生長して込み合ってくると、木と木の間が狭くなり相互に邪魔をして幹が太くなれないため、目標に合った健全な木を育てることを目的として、一定の割合で一部の樹木を切る工程である。この間伐（Ｓ２）を定期的に行うことにより、健全な森林が保たれるようになる。
【００１７】
さらに、枝打ち（Ｓ３）を行う。木の生長には光、水、土が不可欠であり、地面に適度な光を入れることと、木の枝に光を当てる環境を整える必要がある。そのため、余分な枝を付け根から切り落とす枝打ち（Ｓ３）工程を行う。この枝打ち（Ｓ３）を行うことにより、節のない良質な柱材や板材がとれるようになる。
【００１８】
また、適宜、獣害対策等の手入れを行う。例えば、獣害対策は、保護ネット等を用いて木が大きく育つまでに木の皮を鹿等に食べられ、木が枯れてしまう被害を防ぐものである。
【００１９】
さらに、伐採（Ｓ４）を行う。伐採（Ｓ４）は、チェーンソウ等を用いて木を切り倒す工程である。苗木が植えられてから４０年〜５０年以上経過して立派に育った木を切り倒す工程であり、この切り倒された木は、１か所に集められ集材される。
【００２０】
集材された木は、搬出（Ｓ５）される。搬出（Ｓ５）は、集材された木を林道周辺まで運び出す工程である。運び出された木は、トラック等に積まれて原木市場まで運搬される。
【００２１】
その後、製材（Ｓ６）を行う。製材（Ｓ６）は、製材工場等で木の皮をはがしたり、切ったりして柱材や板材に加工する工程である。製材（Ｓ６）された木材は、水分を多く含んでいるので、乾いてくると木材が反ったり割れたりするため、乾燥させる。図２に示すように、丸太材１や角柱材２が製作されるようになる。
【００２２】
次に、これら製材された木材を用いて住居等の建物を建築する場合を説明する。まず、建物の建築にあたって建物の注文者（持主）は、工務店等の施工業者に建築を依頼する（Ｓ７）。このとき、施工業者は、建物の建築はもとより、建物の例えば、実際に用いられる大黒柱等の骨格木材から、年輪が視認できる切り出し木片を提供するサービスを提案する。勿論、この提案は、注文者側からの要望としてなされてもよい。
【００２３】
施工業者によって建物の建築に必要な木材が選定される（Ｓ８）。この選定された木材の中から、さらに、大黒柱等の骨格木材となる木材が選定され、この骨格木材から年輪が視認できるように木片が切り出される（Ｓ９）。
【００２４】
具体的には、図３（ａ）に示すように、大黒柱となる骨格木材（丸太材）３が用意され、図３（ｂ）に示すように、この骨格木材３をチェーンソウ４等を用いて所定の長さＬに横方向に切断する。この切断により図３（ｂ）に示すように、表面に年輪が表れる切り出し木片１０が切り出され作製される。
【００２５】
したがって、この骨格木材３は、本来の建物の建築に使用される資材であることから、本来の建物の建築に使用される長さ寸法より、切り出し木片１０の長さ寸法分、余分に長く用意されることとなる。そして、切り出し木片１０が切り出された後の骨格木材３は、建物の建築に使用され、切り出し木片１０は、後述するように例えば、オブジェ等の記念のものとして確保され、必要に応じて加工されて（Ｓ１０）、建物の完成時に施工業者から注文者へ引き渡される。
【００２６】
施工業者により建物の建築が施工される際（Ｓ１１）には、切り出し木片１０が切り出された後の骨格木材３を含めて、木材の選定（Ｓ８）で選定された木材によって建物が建築されるようになり、建物が完成する（Ｓ１２）。したがって、図４に示すように、建物内には、切り出し木片１０が切り出された後の骨格木材３が大黒柱として使用されるようになる。
【００２７】
また、切り出し木片１０は、完成した建物と関連付けられて、例えば、建物内にオブジェとして配置されたり、建物の近傍、すなわち、建物の玄関前にモニュメントとして配置されたりするのに用いられる。
次に、前記切り出し木片１０を利用する実施例１乃至実施例４について図５乃至図１０を参照して説明する。
【実施例１】
【００２８】
図５乃至図７に示すように、年輪が表出し視認できるようになっている切り出し木片１０をオブジェとして利用するものである。図５は、オブジェを示す斜視図であり、図６は、同側面図、図７は、ケースを取り外して示す斜視図である。
このオブジェは、切り出し木片１０と、透明のケース１１と、ケース台１２と、切り出し木片１０が載置される台座１３とを備えている。
【００２９】
切り出し木片１０は、例えば、大黒柱となる骨格木材から切り出されたものであり、表面に年輪が表れた略円柱状の形状をなしている。この切り出し木片１０は、切り出された原形のままでもよいが、表皮部分を削って滑らかにしたり、磨いたり、また、ニス等の塗料を塗布して表面を保護するような加工を施してもよい。
【００３０】
透明のケース１１は、ガラスやアクリル樹脂等の透明材料から作られていて、略直方体形状に形成されている。このケース１１は、下方の開口部側がケース台１２に載置されて、切り出し木片１０の全体を覆って収容するようになっている。ケース台１２は、合成樹脂材料等の材料によって平板状の略長方形状に形成されていて、その周縁にケース１１が載置される。
【００３１】
また、切り出し木片１０が載置される台座１３は、短円筒状をなしており、ガラスやアクリル樹脂等の透明材料から作られている。この台座１３は、ケース台１２の略中央部に置かれるようになっており、この台座１３の上に切り出し木片１０が載置されるようになる。
【００３２】
なお、この台座１３は、接着剤等を用いてケース台１２に固定されるようにしてもよく、また、切り出し木片１０も台座１３に固定されるようにしてもよい。さらに、切り出し木片１０の周面やケース１１内に、記念であることを示す文字等の表示を施すようにしてもよい。また、ケース１１、ケース台１２や台座１３の形状、寸法等は格別限定されるものではなく、切り出し木片１０の大きさや意匠的な観点から適宜選択することができる。
【００３３】
このようなオブジェは、建物内の居間や玄関内等に配置され、年輪を鑑賞できるようになっている。この場合、本実施例では、透明の台座１３が用いられているので、切り出し木片１０が周囲の物体に埋没されず、浮かび上がったように見え、年輪が強調されて鑑賞することが可能となる。
【実施例２】
【００３４】
図８及び図９に示すように、年輪が表出し視認できるようになっている切り出し木片１０をオブジェとして利用するものである。図８は、オブジェを示す正面図であり、図６は、同側面図である。なお、上記実施例１と同一又は相当部分には同一符号を付し重複する説明は省略する。
【００３５】
本実施例は、オブジェを壁掛けタイプとしたのである。オブジェは、切り出し木片１０と、取付台１２と、台座１３とを備えている。壁掛けタイプのため切り出し木片１０は、実施例１と比較して厚さ寸法が薄くなっている。取付台１２は、合成樹脂材料等の材料によって平板状の略正方形状に形成されていて、例えば、壁に設けられた引掛け具に引掛けることができるようになっている。
【００３６】
台座１３は、アクリル樹脂等の透明材料から作られていて、短円柱状の中実体に形成されている。また、図９に示すように、切り出し木片１０は、取付台１２に台座１３を介して、取付台１２の裏側からねじ込まれるねじ等の固定具によって強固に固定されるようになっている。
【００３７】
このようなオブジェは、建物内の居間や玄関内等の壁面に引掛けられて配置され、年輪を鑑賞できるようになっている。したがって、壁掛けタイプのため、床面等におけるスペースを格別必要とすることなく配置することが可能となる。また、この場合、第１の実施例と同様に、透明の台座１３が用いられているので、側面方向から見たとき、切り出し木片１０が周囲の物体に埋没されず、浮かんでいるように見え、意匠的な向上を図ることができる。
なお、第１の実施例と同様に、切り出し木片１０を覆う透明なケースを設けるようにしてもよい。
【実施例３】
【００３８】
図１０に示すように、年輪が表出し視認できるようになっている切り出し木片１０をオブジェとして利用するものである。図１０は、オブジェを示す斜視図である。なお、上記実施例１と同一又は相当部分には同一符号を付し重複する説明は省略する。
【００３９】
基本的な構成は、第１の実施例と同様であるが、角柱状に製材された骨格木材から切り出された切り出し木片１０を利用するものである。この場合にも表面に年輪が表れるようになっている。
【実施例４】
【００４０】
図１１に示すように、年輪が表出し視認できるようになっている切り出し木片１０を実用品として利用するものである。図１１（ａ）は、切り出し木片１０を椅子として示す斜視図であり、図１１（ｂ）は、椅子に人が座っている状態を示す斜視図である。
切り出し木片１０は、椅子として供するため厚さ寸法（高さ寸法）が比較的大きく形成されている。
このような構成によれば、実用品として使用できるとともに年輪を鑑賞できるようになる。
【００４１】
以上のように実施形態によれば、年輪が視認できる切り出し木片１０は、単なる年輪の装飾的効果を狙って個別的に作製されるものではなく、完成した建物と密接に関連付けられて作製配置されるものである。
【００４２】
本実施形態の切り出し木片１０は、建物に使用の大黒柱等のそのものの木材から切り出されるものである。したがって、建物が完成した後は、大黒柱等を切断しなければ作製することができないし、その年輪を見ることもできないない。そのため、建物を建てる場合に、建てる前の資材を調達する段階から切り出し木片１０を作製する準備を行う必要がある。つまり、建物の建築に使用する大黒柱等から予め切り出し木片１０を切り出すため、切り出し木片１０の長さ寸法分、長く用意することが必要となる。
【００４３】
このような切り出し木片１０は、建物内や建物の近傍に配置されるため、例えば、大黒柱は何世代にもわたり建物を支え続けるものであり、その年輪を鑑賞できることにより、年輪の自然美のみならず、樹木の４０年〜５０年以上育んできた歴史や何世代にもわたる家族の歴史的な想いを引き起こす契機とすることが期待できる。
【００４４】
したがって、建物の注文者（持主）等にとっては、美しく、かつ歴史が感じられ感慨深い記念の価値あるものが得られ、建物の施工業者（工務店）等にとっては、建物（住居等）を販売する際の差別化のセールスポイントとして利用することができ、付加価値のある施工を行うことができる。
よって、建物の注文者（持主）等及び施工業者（工務店）等の双方にとって利益ある切り出し木片の作製配置方法を提供することができる。
【００４５】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。
【００４６】
例えば、本発明は、建物を新たに建築する場合のみならず、建物を壊す場合にも適用可能である。建物を壊す場合には、その壊す建物に使用されている大黒柱等から切り出し木片を切り出し、その切り出し木片を新たに建築する建物内や建物近傍に配置することとなる。
【００４７】
また、建物としては、住居のみならず、公共の施設等に適用することが可能である。さらに、切り出し木片の大きさ、形状や加工方法は格別限定されるものではなく、適宜選択することが可能である。
【００４８】
さらにまた、切り出し木片は、オブジェ、椅子や花瓶の置き台等の実用品に限らず、年輪が視認できるように建物の床面に埋め込むように建物の一部に配置してもよい。切り出し木片の利用形態が格別限定されるものではない。
加えて、ケース、ケース台や台座の形状、寸法等は格別限定されるものではなく、適宜選択し得る。
【符号の説明】
【００４９】
１・・・丸太材
２・・・角柱材
３・・・骨格木材
４・・・チェーンソウ
１０・・・切り出し木片
１１・・・ケース
１２・・・ケース台（取付台）
１３・・・台座
【図１】
2015098118.tif 000003
【図２】
2015098118.tif 000004
【図３】
2015098118.tif 000005
【図４】
2015098118.tif 000006
【図５】
2015098118.tif 000007
【図６】
2015098118.tif 000008
【図７】
2015098118.tif 000009
【図８】
2015098118.tif 000010
【図９】
2015098118.tif 000011
【図１０】
2015098118.tif 000012
【図１１】
2015098118.tif 000013